(57)【要約】【課題】強引に抉じ開けられて窓が破壊されるのを防止できる補助錠を提供する。【解決手段】開口枠１に固定される錠本体１０と、窓２に固定されて錠本体１０に設けたロックピン１４に係合するソケット１１とからなる。錠本体１０は、ケース１２と、ケース１２に往復変位自在に支持されるスライダー１３と、スライダー１３に固定されるロックピン１４と、スライダー１３を屋内側から待機位置と係合位置とに切り換え操作する操作具１５とを備えている。ロックピン１４は、ソケット１１に設けた係合溝に沿ってスライドできる軸部３０と、軸部３０から張り出し形成された規制部３１とを備えている。以て、窓２が抉じ開け操作されようとしたとき、窓枠２Ａを屋外側へ変位させようとする外向き外力を軸部３０で受け止め、窓枠２Ａを開口枠１から離れる向きへ変位させようとする横向き外力を規制部３１で受け止めて、窓２の抉じ開けに抵抗する。【選択図】　　　　図１
2004036281.tif 000002
【特許請求の範囲】
【請求項１】
開口枠１に固定される錠本体１０と、窓２に固定されて錠本体１０に設けたロックピン１４に係合するソケット１１とからなり、ロックピン１４がソケット１１と係合する施錠状態において、窓２の抉じ開けを阻止できる補助錠であって、
錠本体１０は、ケース１２と、ケース１２で往復変位自在に支持されるスライダー１３と、スライダー１３に固定されるロックピン１４と、スライダー１３を屋内側から待機位置と係合位置とに切り換え操作する操作具１５とを備えており、
ロックピン１４は、ソケット１１に設けた係合溝に沿って係合スライドできる軸部３０と、軸部３０から張り出し形成された規制部３１とを備えており、
窓２が抉じ開け操作されるとき、窓枠２Ａを屋外側へ変位させようとする外向き外力は軸部３０で受け止め、窓枠２Ａを開口枠１から離れる向きへ変位させようとする横向き外力は規制部３１で受け止めることができる補助錠。
【請求項２】
スライダー１３およびロックピン１４が、ケース１２に上下スライド可能に案内支持されており、
待機位置と係合位置とにおいてスライダー１３を位置保持するクリック機構が、ケース１２とスライダー１３との間に設けてある請求項１記載の補助錠。
【請求項３】
規制部３１が、軸部３０の突端にフランジ状に張り出し形成されている請求項１記載の補助錠。
【請求項４】
操作具１５が、スライダー１３に固定された操作腕３４と、操作腕３４の室内側の端部に固定された操作ノブ３６とからなる請求項１記載の補助錠。
【発明の詳細な説明】
【０００１】
【発明の属する技術分野】
本発明は、窓などに適用される補助錠、なかでもバール（てこ棒）による窓の抉じ開けを阻止するための補助錠に関する。
【０００２】
【従来の技術】
窓の殆どは、屋内側からのみ施錠できるようになっており、玄関ドアのようにピッキングなどの不正解錠を試みることはできない。そのため、窓からの不法侵入は、窓ガラスを破損して錠装置を解錠するか、窓をバール等で無理やり抉じ開けて屋内へ侵入するなどの破壊侵入が多くを占める。
【０００３】
このような不法侵入に対抗するために、主たる錠装置とは別に補助錠を設けることが推奨されている。そこでは、全ての錠装置が不正解錠され、あるいは全ての錠装置が破壊されるまでの時間を長引かせて人目につきやすくし、侵入をあきらめさせるのを主眼とする。因みに、不法侵入を試みる者は、侵入に要する時間が５分を越えると約６割が、侵入に要する時間が１０分を越えると約８割が、それぞれ侵入をあきらめるとの統計結果があり、先の防犯対策の効果を裏付けている。
【０００４】
【発明が解決しようとする課題】
上記のように、窓に複数の錠装置を設けてあると、主たる錠装置のみで窓が施錠してある場合に比べて、不法侵入を未遂化し防犯効果を向上できる。しかし、複数の錠装置を設けても、抉じ開けなどの破壊型の不正侵入に対しては殆ど対抗できず、効果的な防御手段になり得ない。窓に付加される従来の補助錠は、主たる錠装置と同様に、窓の開放操作を阻止する構造になっており、窓の抉じ開けに効果的に対処できないからである。
【０００５】
因みに、近年の窓枠や開口枠は、例えばスチールサッシに比べて軟らかな、従って変形し易いアルミニウム条材で形成されることが多く、そのことも抉じ開けによる不正侵入の被害に遭いやすい一因になっている。つまり、破壊型の不正侵入は、不法侵入を決断した者にとっては、ピッキング等の技能を必要とせず、単に力任せで窓を破壊できる単純な侵入方法として認識されている向きがあり、自動販売機の抉じ開け被害と同様にその効果的な対策が望まれている。
【０００６】
一側端がヒンジで揺動可能に開閉支持してある窓において、操作ハンドルを回転操作することで窓を開け閉めする開閉装置がある。そこでは、操作ハンドルで回転操作されるウォーム軸でウォームギヤを揺動操作し、ウォームギヤの往復揺動動作をリンクで窓に伝えて窓を開閉する。この種の開閉装置は、ウォーム軸の側からのみウォームギヤを操作でき、逆向きに動作を伝えることはできない。従って、開閉装置のみでも窓を閉じ位置に固定保持できるが、窓をがたがた揺するようにして繰り返し抉じ開け操作すると、窓枠自体が徐々に変形し、あるいはリンクなどの中間伝動部材が変形し、やがて窓枠と開口枠との間に隙間が生じ、そこから手を差し入れて開閉装置が開放操作されてしまった事例もある。
【０００７】
本発明の目的は、バールなどによる抉じ開け力に対抗して窓が大きく変形されるのを防止でき、従って破壊侵入に多くの時間を要し、その分だけ不法侵入を試みる者の決意を鈍らせ、侵入途中で犯行をあきらめさせて未遂化できる、防犯効果に優れた補助錠を提供することにある。
【０００８】
【課題を解決するための手段】
本発明の補助錠は、開口枠１に固定される錠本体１０と、窓２に固定されて錠本体１０に設けたロックピン１４に係合するソケット１１とからなり、ロックピン１４がソケット１１と係合する施錠状態において、窓２の抉じ開けを阻止できるようにすることにある。
【０００９】
そのために、錠本体１０は、ケース１２と、ケース１２で往復変位自在に支持されるスライダー１３と、スライダー１３に固定されるロックピン１４と、スライダー１３を屋内側から待機位置と係合位置とに切り換え操作する操作具１５とを備えている。ロックピン１４は、ソケット１１に設けた係合溝に沿って係合スライドできる軸部３０と、軸部３０から張り出し形成された規制部３１とを備えている。以て、窓２が抉じ開け操作されるとき、窓枠２Ａを屋外側へ変位させようとする外向き外力は軸部３０で受け止め、窓枠２Ａを開口枠１から離れる向きへ変位させようとする横向き外力は規制部３１で受け止めて、窓２の抉じ開けに抵抗するようにしたものである。
【００１０】
スライダー１３およびロックピン１４は、ケース１２に上下スライド可能に案内支持し、待機位置と係合位置とにおいてスライダー１３を位置保持するクリック機構が、ケース１２とスライダー１３との間に設けられている。
【００１１】
規制部３１は、軸部３０の突端にフランジ状に張り出し形成することができる。操作具１５は、スライダー１３に固定された操作腕３４と、操作腕３４の室内側の端部に固定された操作ノブ３６とからなる。
【００１２】
【発明の作用効果】
本発明では、開口枠１に固定される錠本体１０と、窓２に固定されて錠本体１０に設けたロックピン１４に係合するソケット１１とで補助錠を構成し、窓２が抉じ開け操作されるとき、窓枠２Ａを屋外側へ変位させようとする外向き外力は、ロックピン１４の軸部３０で受け止め、窓枠２Ａを開口枠１から離れる向きへ変位させようとする横向き外力は、軸部３０の突端側に設けた規制部３１で受け止めて、窓２の抉じ開けを防止する。
【００１３】
つまり、抉じ開けによって窓枠が大きく変形されるのをロックピン１４とソケット１１との係合で規制し、破壊侵入を完遂するのに多くの手間と時間とが不可欠となるようにした。従って、窓２の破壊侵入に手間取る分だけ、不法侵入を試みる者の決意を鈍らせ、侵入途中で犯行をあきらめさせて未遂化でき、従来の補助錠に比べて防犯効果に優れる。
【００１４】
ケース１２にスライダー１３およびロックピン１４を上下スライド可能に案内支持する補助錠によれば、錠本体１０をコンパクト化できるので、開口枠１の内外方向の厚み寸法が小さい場合にも、錠本体１０を問題なく装着できるうえ、錠本体１０の全体構造を簡素化できる。ケース１２とスライダー１３との間にクリック機構を設けてあると、待機位置と係合位置とにおいてスライダー１３を位置保持できるので、係合状態に切り換えたスライダー１３およびロックピン１４が、抉じ開け時の衝撃や外力で待機状態へ戻ってしまうのを防止して、窓２の変形を確実に阻止できる。
【００１５】
ロックピン１４の軸部３０の突端に規制部３１がフランジ状に、つまり周回状に張り出し形成されていると、ソケット１１を受け止めた状態における規制部３１の構造強が大きくなり、抉じ開け時の横向き外力に対する規制部３１の変形応力をより大きくできるので、抉じ開けに伴う窓２の変形を確実に規制でき、破壊侵入に要する手間と時間をさらに稼ぐことができる。
【００１６】
スライダー１３に固定される操作腕３４と、操作腕３４の室内側の端部に固定される操作ノブ３６とで操作具１５が構成されていると、開口枠１や窓２の構造の違いに応じて操作ノブ３６を付け替えることができるので、サッシュメーカーの違いや、窓構造の違いがある場合にも、操作ノブ３６を除く錠部品を共用できる点で有利である。
【００１７】
【実施例】
図１ないし図８は本発明に係る補助錠を揺動窓に適用した第１実施例を示す。図２において符号１は開口枠、２は窓、３は窓２を揺動開閉可能に支持するヒンジである。開口枠１と窓２との間には、窓２を開閉操作する開閉機構を有する。窓２の揺動先端側の窓側枠２Ａと、開口枠１の縦枠１Ａとの間には、本発明の補助錠を備えている。
【００１８】
開閉機構は、図２に示すごとく開口枠１の下枠１Ｂに装着されるギヤユニット５と、ギヤユニット５を回転操作するハンドル６と、ギヤユニット５の往復揺動動作を窓２に伝えるリンクバー７などで構成してある。ギヤユニット５は、ウォーム軸と、ウォームギヤを一体に備える駆動アーム８と、これらを収容するケース９などで構成してあり、ウォーム軸の側からのみウォームギヤを操作でき、逆向きに動作を伝えることはできない。
【００１９】
図３において本発明の補助錠は、開口枠１の縦枠１Ａに固定される錠本体１０と、窓２の窓側枠２Ａに固定されて錠本体１０に設けたロックピン１４に係合するソケット１１とからなり、ロックピン１４がソケット１１と係合する施錠状態において窓２の抉じ開けを阻止できるように機能する。
【００２０】
錠本体１０は、ステンレス製のプレス金具からなるケース１２と、ケース１２で往復変位自在に支持されるスライダー１３と、スライダー１３に固定されるロックピン１４と、スライダー１３を屋内側から待機位置と係合位置とに切り換え操作する操作具１５と備えている。
【００２１】
図４においてケース１２は、上下に長い箱枠状のガイド枠１６を有し、ガイド枠１６の上下両端に締結座１７が一体に形成されている。ガイド枠１６の横側壁と、室内側の前側壁には、ロックピン１４用のガイド溝１８と、操作具１５用のガイド溝１９とがそれぞれ設けてある。後者のガイド溝１９に沿って、クリック機構を構成する係合穴２０が形成されている。
【００２２】
スライダー１３は、図４に示すごとく板状のプラスチックブロックからなり、その片面に操作具１５を固定するための座面２３が凹み形成され、室内側の前側面の上下２箇所にばね穴２４が形成されている。座面２３には、ロックピン１４を固定するためのピン孔２５を設けるとともに、操作腕３４に係合する位置決めピン２６を設ける。下側のばね穴２４には、クリック機構を構成する圧縮コイル形のばね２７と鋼製のボール２８とが収容される。
【００２３】
ロックピン１４は、ステンレス棒材に旋削加工を施して形成してあり、丸軸からなる軸部３０と、軸部３０の先端に張り出し形成したフランジ状の規制部３１と、軸部３０の基端のかしめ軸部３２とを一体に備えている。図５に示すように、かしめ軸部３２をピン孔２５、および操作具１５の操作腕３４に挿通したのち、その突端をかしめることにより、ロックピン１４とスライダー１３と操作具１５とを一体化する。
【００２４】
図３において操作具１５は、スライダー１３に固定される操作腕３４と、操作腕３４の室内側の端部にビス３５で固定される操作ノブ３６とを有する。この実施例では、窓２を閉じた状態において、縦枠１Ａに設けたシール壁３７が窓側枠２Ａの前面を受け止めるので、図５に示すごとくシール壁３７に形成した通口３８を介して操作腕３４を室内側に突出させた。
【００２５】
通口３８の周辺部の体裁を向上するために、通口３８には化粧カバー３９を圧嵌装着し、その内面に水密状態と気密状態を維持し、さらに周辺部の操作腕３４と同行スライドする遮蔽板４０を配置してある。操作具１５は下方の待機位置と上方の係合位置とに切り換え操作されるが、各切り換え位置において遮蔽板４０は、化粧カバー３９に形成したスリット４１を内面から塞いでいる。
【００２６】
図３および図４においてソケット１１は、ケース１２と同様のステンレス製の箱枠からなり、その箱枠部分の横側壁と底壁とに、ロックピン１４の軸部３０を受け入れる係合溝４４と、規制部３１の出入りを許す開口４５とが連続して形成されている。箱枠部分の上下には、締結座４６を一体に設けてある。
【００２７】
錠本体１０とソケット１１とは、図６に示すようにガイド枠１６と箱枠部分とが互いに向きあう状態で、縦枠１Ａと窓側枠２Ａとにビス４８・４９で固定する。操作具１５が下方の待機位置に位置している状態では、ロックピン１４は図６の想像線で示すようにソケット１１の箱枠部分の下方にあり、この状態では図７に示すようにボール２８が下側の係合穴２０に係合して、操作具１５を位置保持しており、窓２は支持機構を操作することにより自由に開閉できる。
【００２８】
窓２を閉じた後、図８に示すように操作具１５を上方の係合位置にスライド操作すると、ロックピン１４がソケット１１の係合溝４４に係合して窓２の開放を規制し、さらに抉じ開けによる窓２の破壊を阻止する。このとき、ボール２８は上側の係合穴２０と係合している。なお、錠本体１０とソケット１１は、窓２の上下寸法に応じて、上下方向複数箇所に設置することができ、必要に応じて１個の操作具１５で複数個の錠本体１０のロックピン１４を同時に待機位置から係合位置へ切り換え操作できるようにしてもよい。
【００２９】
図１に示すように、バールＴで窓２を抉じ開けようとしてたとき、揺動先端側の窓枠が屋外側へ変形しようとし（この外力を外向き外力という）、同時に開口枠１の縦枠１Ａから離れる向きに変形しようとする（この外力を横向き外力という）ので、窓枠は両方の変形動作が合成されて斜め屋外方向へ変形しようとする。このとき、ロックピン１４の軸部３０が係合溝４４に接して、外向き外力に対向する。しかし、繰り返し外力が加えられて窓枠の変形が進行すると、やがて係合溝４４が軸部３０から抜け外れて、窓２が抉じ開けられてしまう。
【００３０】
しかし、軸部３０の突端には規制部３１を設けてあるので、窓枠の変形が進行する前に、規制部３１で係合溝４４の周縁内面を受け止めて横向き外力に対抗できる。従って、規制部３１とソケット１１とのいずれかを破壊しない限り、窓２の変形がそれ以上に進行するのを防止でき、窓２の破壊侵入の手間と時間とを長引かせることができる。ソケット１１、ケース１２、ロックピン１４のそれぞれが、アルミニウム合金より充分な強度を備えたステンレス材で形成してあることも、窓２の抉じ開けを困難化することに役立っている。
【００３１】
錠本体１０およびソケット１１は、左右勝手の違い戸は無関係に、いずれの場合にも共用できる。たとえば窓２が実施例とは逆の側端がヒンジ３で支持してある場合には、錠本体１０およびソケット１１を上下に反転して縦枠１Ａと窓側枠２Ａとに装着固定するとよい。
【００３２】
先の実施例では、シール壁３７に通口３８を形成して、操作腕３４を通口３８から室内側へ突出させたが、その必要はなくシール壁３７に設けたシール材と窓２との間を迂回する状態で操作腕３４を設けてもよい。規制部３１はフランジ状に形成する必要はなく、係合溝４４を内外に横切る状態で形成してあればよい。例えば軸部３０の突端寄りにピンやボルトを固定して規制部３１とすることができる。
【００３３】
図９はスライダー１３およびクリック機構に関する本発明の別実施例を示す。そこではスライダー１３の外側面の上下に一対の弾性腕５１を一体に形成し、弾性腕５１の先端寄りに係合凹部５２を設けた。また、ケース１２の外側壁の内面上下に係合凹部５２と係合するリブ５３を設けて、これらの部材でクリック機構を構成し、待機位置と係合位置とのそれぞれにおいて、下方また上方の係合凹部５２がリブ５３と係合することによって、スライダー１３を位置決めできるようにした。他は、先の実施例と同じであるので、同じ部材に同じ符号を付してその説明を省略する。
【００３４】
スライダー１３およびロックピン１４は、軸回りに揺動変位して係合溝４４に対して係脱させることができ、その場合には係合溝４４を部分円弧状に形成すればよい。また、操作具１５は上下揺動可能に軸支することができる。開閉機構は実施例の構造に限られず、閉じ位置と換気開放位置とに窓２の開量を調整できる煽り止め装置であってもよい。
【図面の簡単な説明】
【図１】窓の抉じ開け状況を説明する横断平面図
【図２】窓の横断平面図
【図３】補助錠の分解斜視図
【図４】補助錠の分解断面図
【図５】施錠状態における補助錠の横断平面図
【図６】施錠状態における補助錠の正面図
【図７】解錠状態におけ補助錠の縦断側面図
【図８】施錠状態における補助錠の縦断側面図
【図９】スライダーおよびクリック機構に関する本発明の別実施例を示す一部破断側面図
【符号の説明】
１　開口枠
２　窓
２Ａ　窓枠
１０　錠本体
１１　ソケット
１２　ケース
１３　スライダー
１４　ロックピン
１５　操作具
３０　軸部
３１　規制部
３４　操作腕
３６　操作ノブ
【図１】
2004036281.tif 000003
【図２】
2004036281.tif 000004
【図３】
2004036281.tif 000005
【図４】
2004036281.tif 000006
【図５】
2004036281.tif 000007
【図６】
2004036281.tif 000008
【図７】
2004036281.tif 000009
【図８】
2004036281.tif 000010
【図９】
2004036281.tif 000011